(57)【要約】      （修正有）【課題】常に寝具を清潔に保つ可能な寝具カバーを提供する。【解決手段】寝具カバーは、スパンレース不織布の材質によって製造されるカバー本体１、および、カバー本体１の一端に設けられカバー本体１の反他端側に延伸する折り返し部１１を備える。寝具はカバー本体１内に収納され、折り返し部１１によって固定される。これにより、スパンレース不織布の材質であること、且つ、折り返し部１１を有することにより、効果的に汚れた寝具カバーを随時交換または直接廃棄することができるため、使用上便利であり、人的資源を節約することができる。【選択図】図１
0003178228.tif 000002
【実用新案登録請求の範囲】
【請求項１】
スパンレース不織布の材質で製造されるカバー本体と、
前記カバー本体の一端に設けられ、前記カバー本体の反他端側に延伸し、前記カバー本体側に折り返し可能な折り返し部と、を備えることを特徴とする寝具カバー。
【請求項２】
前記折り返し部の一方の面には、粘着部が設けられていることを特徴とする請求項１に記載の寝具カバー。
【請求項３】
前記カバー本体の前記折り返し部側には、粘着部が設けられていることを特徴とする請求項１に記載の寝具カバー。
【請求項４】
前記粘着部は、マジックテープ（登録商標）であることを特徴とする請求項３に記載の寝具カバー。
【請求項５】
前記カバー本体の前記折り返し部とは反対側の他端には、収納部が設けられ、マットレスカバーとして使用されることを特徴とする請求項１に記載の寝具カバー。
【請求項６】
前記収納部は、マットレス前部を収納することを特徴とする請求項５に記載の寝具カバー。
【請求項７】
前記マットレス前部とは反対側に位置するマットレス後部は、前記折り返し部により固定されることを特徴とする請求項６に記載の寝具カバー。
【考案の詳細な説明】
【技術分野】
【０００１】
本考案は、寝具カバーに関し、詳しくは、使い捨ての寝具カバーに関する。
【背景技術】
【０００２】
生活レベルと衛生観念の向上に伴い、割り箸、ウェットティッシュ、使い捨て下着等のディスポーザブル製品が多くなっている。現在、一般医療施設で使用されている寝具カバーは、綿、ウール、麻または合成繊維材質で作られていて、汚れたら洗って、繰り返し使用される。病院等の大量に寝具カバーが使用される場所は、病人が退院したら清潔な寝具カバーに取り替えなければならない。このため、毎日取り替え、洗濯及び乾燥作業を行う必要がある。
【先行技術文献】
【特許文献】
【０００３】
【特許文献１】特開２０１２−０９０７６８号公報
【考案の概要】
【考案が解決しようとする課題】
【０００４】
例えば、特許文献１に記載の従来の寝具カバーには以下の欠点を有する。例えば、何度も繰り返し使用された場合、寝具カバーが破損する。破損箇所が微小の時、医療スタッフが気付かず、そのまま使用し続けた場合、液体が飛び散ったり、生物性粒子が容易にその破損箇所から寝具カバーが覆っているマットレス、枕、布団等に付着して汚染を招くおそれがある。また、人の手や機械設備等によって寝具カバーの洗濯を行う必要があるため、大量の人的資源及びエネルギーを消費する。さらに、長期にわたって使用すると、従来の寝具カバーの表面の汚れが洗っても落ちずにシミになってしまい、見た目にも不衛生であり、使用者の不快を招く。
本考案は、常に寝具を清潔に保つ可能な寝具カバーを提供することを課題とする。
【課題を解決するための手段】
【０００５】
本考案の寝具カバーは、スパンレース不織布の材質によって製造されるカバー本体を備え、カバー本体の一端には、他端とは反対側に延伸する折り返し部を有する。使用時には、寝具を前記カバー本体内に収納した後、さらに折り返し部分により固定する。
【０００６】
本考案の寝具カバーは、使用後直接廃棄することができ、人の手や機械によって洗濯する必要がなく、必要時にいつでも新しい清潔な寝具カバーを使用することができる。また、汚れた寝具カバーを随時交換または直接廃棄することができるため、使用上の便利性及び人的資源の節約することができる。
【図面の簡単な説明】
【０００７】
【図１】本考案の第１実施形態による寝具カバーを示す斜視図である。
【図２】本考案の第１実施形態による寝具カバーの応用例を示す分解斜視図である。
【図３】本考案の第１実施形態による寝具カバーの応用例を示す斜視図である。
【図４】本考案の第２実施形態による寝具カバーの応用例を示す分解斜視図である。
【図５】本考案の第２実施形態による寝具カバーの応用例を示す斜視図である。
【図６】本考案の第３実施形態による寝具カバーの応用例を示す分解斜視図である。
【図７】本考案の第３実施形態による寝具カバーの応用例を示す斜視図である。
【考案を実施するための形態】
【０００８】
（第１実施形態）
以下、図に基づいて、本考案の一実施形態による寝具カバーについて説明する。本考案は、使い捨ての寝具カバーに適用したものである。このうち、利用している材質の詳細な製造及び処理の過程は、現有の技術によって達成可能であるため、以下の説明中には詳述しない。また、以下の説明中における図は、実際のサイズに基づいて製図されたものではなく、本考案を説明するためのイメージ図である。
【０００９】
本考案の寝具カバーは、スパンレース不織布の材質により製造されるカバー本体１、および、カバー本体１の一端に形成され反他端側に延伸する折り返し部１１を有する。図１に示したように、寝具は、カバー本体１内に収納され、折り返し部分１１により固定される。
【００１０】
図２及び図３に示したように、本実施形態では、寝具カバーは枕カバーとして使用される。枕２は、カバー本体１内部に収納され、折り返し部１１により固定される。
【００１１】
（第２実施形態）
図４及び図５に基づいて本考案の第２実施形態を説明する。本実施形態では、寝具カバーは、布団カバーとして使用される。布団３は、カバー本体１内部に収納され、折り返し部１１の一方の面に設けられた粘着部１１ａがカバー本体１の折り返し部１１側に設けられた粘着部１２（マジックテープ（登録商標）が好ましい）に粘着することにより固定される。
【００１２】
（第３実施形態）
図６及び図７に基づいて本考案の第３実施形態を説明する。本実施形態では、寝具カバーは、マットレスカバーとして使用される。カバー本体１をマットレスカバー１３とする。マットレスカバー１３の一端には収納部分１３ａが設けられる。収納部分１３ａは、マットレス４前部４１を収納し、マットレス４の後部４２は、マットレスカバー１３の折り返し部１１によって覆われて固定される。
【００１３】
本考案の寝具カバーは、スパンレース不織布の材質によって製造され、折り返し部１１を有することで、汚れた寝具カバーを随時交換または直接廃棄することができるため、使用上便利であると同時に、人的資源の節約することができる。
【００１４】
以上、本考案の実施形態について図面を参照して詳述したが、具体的な構成は、これらの実施形態に限られるものではなく、本考案の要旨を逸脱しない範囲の設計変更などがあっても、本考案に含まれる。
【符号の説明】
【００１５】
１・・・カバー本体、
１１・・・折り返し部分、
１１ａ、１２・・・粘着部分、
１３・・・マットレスカバー、
１３ａ・・・収納部分、
２・・・枕、
３・・・布団、
４・・・マットレス
４１・・・前部、
４２・・・後部。
【図１】
0003178228.tif 000003
【図２】
0003178228.tif 000004
【図３】
0003178228.tif 000005
【図４】
0003178228.tif 000006
【図５】
0003178228.tif 000007
【図６】
0003178228.tif 000008
【図７】
0003178228.tif 000009